(57)【要約】    【課題】  種々の調整部品を揃えなくても、インペラとケーシング内面とのアライメント調整が可能なインペラ取付構造を提供する。    【解決手段】  モータ支持軸11の取付部13には、筒状の取付け座16，弾性スペーサ35，インペラ６，セット長調整用六角ナット36，及び六角ナット23が装着される。また、弾性スペーサ35は、インペラ６とケーシング１内面とのクリアランスを確保するために設けられる。セット長調整用六角ナット36をモータ支持軸11の雄ネジ部14に螺合させ、インペラ６に締付け、クリアランスｄを確保，調整する。弾性スペーサ35は、セット長調整用六角ナット36の締め付け力により弾性変形するため、セット長調整用六角ナット36の締め付け力に応じてインペラ６が上下に変位し、無段階のアライメント調整が容易にできる。【選択図】  図２
2006125330.tif 000002
【特許請求の範囲】
【請求項１】
羽根を有するインペラと、このインペラを支持する支持部とをケーシングに備え、前記インペラは、弾性部材を具備する取付け部と、固着具とにより挟持されて前記支持部に固定されるものであることを特徴とするインペラ取付構造。
【発明の詳細な説明】
【技術分野】
【０００１】
本発明は、ケースでインペラ（羽根車）を回転させることにより、気体を吸込み，吐出する、例えばブロワなどのインペラ取付構造に関する。
【背景技術】
【０００２】
従来、例えばブロワなどのインペラ取付構造としては、図４に示すものがある。同図において、ケーシング１には、円盤状のインペラ６が取付けられている。インペラ６は、その中心部が円形に突出した段部９を有する円形板状のロータ７と、ロータ７の外周に立設された複数の羽根８と、羽根８の外周を取り囲んで連結する環状の連結環18とが、例えば樹脂などで一体成形されている。ロータ７の中心には、図示しないモータから延出したモータ支持軸11を挿通するための軸挿通孔30が穿設される一方、ケーシング１の底面中央部には軸保持穴31が設けられ、インペラ６がケーシング１下方から軸保持穴31に挿入されたモータ支持軸11に固定されることにより、ケーシング１内で回転するよう構成されている。
【０００３】
ここで、インペラ取付構造について詳述する。モータ支持軸11のインペラ６が取付けられる部分にあたる取付部13は、軸本体12よりやや小径になっており、中央上方寄りから上端縁にかけて雄ネジ部14が刻設されている。モータ支持軸11の取付部13には、図５のように、筒状の取付け座16，円形板状のスペーサ25，インペラ６，平ワッシャ21，スプリングワッシャ22，及び六角ナット23が装着される。このとき、インペラ６は、六角ナット23と取付け座16とに挟持されることで、モータ支持軸11の取付部13に固着されている。具体的には、雌ネジが穿設された六角ナット23を雄ネジ部14に螺合させ、平ワッシャ21とスプリングワッシャ22を介してインペラ６ひいては軸本体12の対向断面12ａに締付けられている。取付け座16には、複数の突起部17（図４では、３つ）が設けられており、突起部17で挟まれた部分が溝部20（図４では、２つ）となっている。該突起部17が、軸保持穴31の側壁に当接することにより、回動自在かつスラスト方向（軸方向）に係止され、インペラ６回転時に発生するスラスト方向のずれを抑制する。また、スペーサ25は、インペラ６とケーシング１（上ケース２，下ケース３）内面とのクリアランス（部材間の余裕，間隙）を確保するために設けられるものであり、上ケース２，下ケース３及びインペラ６の寸法のバラツキに応じて、その厚さ寸法が調整されたものが使用される。
【０００４】
しかし、このような従来のインペラ取付構造では、ケーシング１内において、インペラ６と上ケース２，下ケース３とのそれぞれのクリアランスを同寸法に確保するため、厚さ寸法が異なる種々のスペーサ25を揃えなければならないという問題があった。前述したように、インペラ６とケーシング１とのクリアランスは、上ケース２，下ケース３及びインペラ６の寸法のバラツキに左右されるため、予め用意された種々のスペーサ25の中から最適な寸法となるものを選択してクリアランス調整を行う必要がある。
【０００５】
この問題を解決する手段として、特許文献１に開示されるものがある。これは、モータ支持軸11に相当するポンプ軸をインペラ６としての羽根車に穿設した後部ネジ孔にネジ込ませ、当該ネジ込み深さを増減することにより、羽根車の下縁とサクションカバーの上面との間の間隙を調整したのち、定着用ネジ栓を後部ネジ孔と同軸上に穿設した前部ネジ孔にネジ込んで羽根車を固定するものである。
【特許文献１】特開２００４−２３２４７４号公報
【発明の開示】
【発明が解決しようとする課題】
【０００６】
しかしながら、上記特許文献１に開示されるインペラ取付構造では、インペラ６を特殊な形状にしなければならず、汎用部品を流用することができないという問題があった。当該インペラ取付構造をそのまま既存製品に適用することはできず、インペラ６のみならずケーシング１などブロア全体の設計変更を余儀なくされる虞がある。また、クリアランス調整によりモータ支持軸11のネジ込み深さが変わるため、従来のような形で取付け座16を設けることが困難であった。すなわち、取付け座16を設けるには、モータ支持軸11に直接固着させる必要がある。さらに、インペラ６のねじ孔に荷重や締め付けトルクがかかるため、インペラ６を樹脂成形品とした場合には、強度不足によりねじ孔周辺が破損する虞があった。
【０００７】
そこで本発明は上記問題点に鑑み、種々の調整部品を揃えなくても、インペラとケーシング内面とのアライメント調整が可能なインペラ取付構造を提供することを目的とする。
【課題を解決するための手段】
【０００８】
本発明における請求項１のインペラ取付構造では、取付け部が弾性部材を具備しているため、固着具の締付けに応じて該弾性部材が無段階に変形し、インペラとケーシング内面とのアライメント調整を容易に行うことができる。また、簡単な構成であるため、既存製品に適用する際にも大幅な設計変更が必要でなく、大多数を汎用部品で構成することが可能である。
【発明の効果】
【０００９】
本発明の請求項１によると、簡単な構成で、インペラとケーシング内面とのアライメント調整を容易に行うことができるインペラ取付構造を提供することができる。
【発明を実施するための最良の形態】
【００１０】
以下、添付図面を参照しながら、本発明におけるインペラ取付構造の好ましい実施例を説明する。なお、これらの実施例において、従来例と同一箇所には同一符号を付し、共通する部分の説明は重複するため極力省略する。
【００１１】
図１及び図２は、本発明におけるインペラ取付構造を具備したブロワを示したものである。同図において、内部にインペラ６を収めるケーシング１は、上ケース２と下ケース３とからなり、その一方には吸込口４，吐出口５が開口形成されたベルマウス15が設けられている。吸込口４と吐出口５とは、ケーシング１の形状に沿って環状に設けられた風洞10により連通されている。インペラ６は、その中心部が円形に突出した段部９を有する円形板状のロータ７と、ロータ７の外周に立設された複数の羽根８と、羽根８の外周を取り囲んで連結する環状の連結環18とが、例えば樹脂などで一体成形されている。ロータ７の中心には、図示しないモータから延出した支持部としてのモータ支持軸11を挿通するための軸挿通孔30が穿設される一方、ケーシング１の底面中央部には軸保持穴31が設けられ、インペラ６がケーシング１下方から軸保持穴31に挿入されたモータ支持軸11に固定されることにより、ケーシング１内で回転するよう構成されている。なお、ケーシング１は、前記モータにねじ止めにて固定されている。以上は、従来例と同様の構成である。
【００１２】
ここで、本実施例におけるインペラ取付構造について詳述する。モータ支持軸11のインペラ６が取付けられる部分にあたる取付部13は、従来例と同様に、軸本体12よりやや小径になっており、中央上方寄りから上端縁にかけて雄ネジ部14が刻設されている。モータ支持軸11の取付部13には、図３のように、取付け部としての筒状の取付け座16，弾性スペーサ35，インペラ６，第１の固着具としてのセット長調整用六角ナット36，及び第２の固着具としての六角ナット23が装着される。取付け座16には、複数の突起部17（図２では、２つ）が設けられており、突起部17で挟まれた部分が溝部20（図２では、１つ）となっている。該突起部17が、軸保持穴31の側壁に当接することにより、回動自在かつスラスト方向（軸方向）に係止され、インペラ６回転時に発生するスラスト方向のずれを抑制する。また、弾性スペーサ35は、インペラ６とケーシング１（上ケース２，下ケース３）内面とのクリアランス（部材間の余裕，間隙）を確保するために設けられるものであり、例えばゴムなどの弾性部材からなり、本実施例ではその厚さを0.06ｍｍ位としている。その他、弾性スペーサ35に使用されるものとしては、コイルばね，波ワッシャー等、材質的又は機構的に弾性を有する種々の材料，形状が考えられる。
【００１３】
次に、インペラ６をモータ支持軸11に取り付ける手順と共に、当該インペラ取付構造の作用について説明する。
【００１４】
まず、下ケース３に取付けられた前記モータのモータ支持軸11に、取付け座16と弾性スペーサ35とインペラ６（軸挿通孔30）を挿通する。取付け座16は、突起部17が下ケース３に形成された軸保持穴31の周壁に摺動されながら、軸本体12の対向断面12ａに突き当たるまで軸保持穴31に挿入される。そして、取付け座16の上に、弾性スペーサ35及びインペラ６の段部９が順に載置された状態になる。
【００１５】
続いて、セット長調整用六角ナット36をモータ支持軸11の雄ネジ部14に螺合させ、インペラ６に締付け、クリアランスｄを確保，調整する。弾性スペーサ35は、セット長調整用六角ナット36の締め付け力により弾性変形するため、セット長調整用六角ナット36の締め付け力に応じてインペラ６が上下に変位し、無段階のアライメント調整が容易にできる。クリアランスｄは、事前に測定しておいたインペラ６と上ケース２，下ケース３との寸法関係より、該弾性スペーサ35のセット長をインペラ６と上ケース２，下ケース３間のクリアランスが同寸法になるように六角ナット締めにて調整できるようにしたものである。とりわけ本実施例では、インペラ６と上ケース２，下ケース３とのクリアランスｄが、0.1−0ｍｍから0.1＋0.035ｍｍの間で、それぞれ同寸法となるよう調整されている。このようにして、インペラ６と上ケース２，下ケース３とのクリアランスｄの寸法が容易に確保できるので、製造工程が簡略化されるものである。
【００１６】
セット長調整用六角ナット36の上から、固定用の六角ナット23をモータ支持軸11の雄ネジ部14に螺合させ、最後まで締まったら、セット長調整用六角ナット36と六角ナット23とを互いに締め合うようにする。例えば、下のセット長調整用六角ナット36は左回り、上の六角ナット23は右回りに回すことにより、２つのナットどうしを締め合う所謂ダブルナットにする。ダブルナットにすることにより、セット長調整用六角ナット36及び六角ナット23が強力に緩み止めされることとなる。とりわけ、本実施例では、弾性スペーサ35の弾性復帰力により、セット長調整用六角ナット36が上方すなわち六角ナット23方向に付勢されるため、インペラ６がセット長調整用六角ナット36に圧接し、当該ダブルナットが緩み難くくなる。以上のようにして、インペラ６が、セット長調整用六角ナット36，六角ナット23と取付け座16とに挟持されると共に、モータ支持軸11の取付部13に固着される。
【００１７】
前記モータを通電し、その駆動力によりモータ支持軸11が回転するに従い、インペラ６が旋回し始める。ケーシング１内に形成された風洞10では、羽根８の旋回で生じた負圧により、例えば空気などのケーシング１外部の流体が吸込口４から風洞10内に吸い込まれ、風洞10を通り、最終的に吐出口５から吐き出される。このとき、羽根８が流体抵抗を受けてインペラ６が振動するが、取付け座16に設けた弾性スペーサ35によりインペラ６の振動が吸収されるため、当該振動が取付け座16ひいてはケーシング１に伝播せず、静音性を高めることもできる。
【００１８】
以上のように本実施例では、羽根８を有するインペラ６と、このインペラ６を支持する支持部としてのモータ支持軸11とをケーシング１内に備え、インペラ６は、弾性部材としての弾性スペーサ35を具備する取り付部としての取付け座16と固着具としてのセット長調整用六角ナット36とにより挟持されてモータ支持軸11に固定されるよう構成している。
【００１９】
このようにすると、取付け座16が弾性スペーサ35を具備しているため、セット長調整用六角ナット36の締付けに応じて該弾性スペーサ35が無段階に変形し、インペラ６とケーシング１内面とのアライメント調整を容易に行うことができる。また、簡単な構成であるため、既存製品に適用する際にも大幅な設計変更が必要でなく、大多数を汎用部品で構成することが可能である。以上により、簡単な構成で、インペラ６とケーシング１内面とのアライメント調整を容易に行うことができるインペラ取付構造を提供することができる。
【００２０】
なお、本発明は、上記実施例に限定されるものではなく、本発明の趣旨を逸脱しない範囲で変更可能である。もちろん、適用可能な製品としては上記ブロアの他にも、ファンモータや流体ポンプなど支持軸にインペラ６を取付ける構造を有するものであれば、どのようなものでもよい。
【図面の簡単な説明】
【００２１】
【図１】第１実施例におけるインペラ取付構造を有するブロアの一部切欠き横断面図である。
【図２】同上、インペラ取付構造を有するブロアの一部切欠き縦断面図である。
【図３】同上、インペラ取付構造の分解図である。
【図４】従来例におけるインペラ取付構造を有するブロアの一部切欠き縦断面図である。
【図５】同上、インペラ取付構造の分解図である。
【符号の説明】
【００２２】
１  ケーシング
６  インペラ
８  羽根
11  モータ支持軸（支持部）
16  取付け座（取付け部）
35  弾性スペーサ（弾性部材）
36  セット長調整用六角ナット（固着具）
【図１】
2006125330.tif 000003
【図２】
2006125330.tif 000004
【図３】
2006125330.tif 000005
【図４】
2006125330.tif 000006
【図５】
2006125330.tif 000007